(57)【要約】【課題】冷蔵室扉を開けた時に仕切板を介して冷蔵室内から下の貯蔵室内が照明の明かりによって確実に見えるようにする。【解決手段】冷蔵庫本体１に設けられた冷蔵室３と、この冷蔵室３の前面開口を閉塞する冷蔵室扉９と、この冷蔵室扉９を開いた時に点灯し庫内を照らす庫内照明灯１１と、前記冷蔵室３の下方に配置された貯蔵室５と、この貯蔵室５の前面開口を閉塞する引き出し扉１３と、その引き出し扉１３の動作と連動して出し入れされ上方が開放された収納容器１５と、前記引き出し扉１３を開いた時に点灯し収納容器１５内を照らす容器照明灯１７と、前記冷蔵室３と貯蔵室５とを上下に仕切る透明な材質で成形された仕切板７とを備えた構造とし、  前記容器照明灯１７を、前記冷蔵室３の冷蔵室扉９を開いた時に点灯させ、冷蔵室３内から下の収納容器１５内が照明の明かりによって確実に見えるようにする。【選択図】図１
2010230206.tif 000002
【特許請求の範囲】
【請求項１】
冷蔵庫本体に設けられた冷蔵室と、この冷蔵室の前面開口を閉塞する冷蔵室扉と、この冷蔵室扉を開いた時に点灯し庫内を照らす庫内照明灯と、前記冷蔵室の下方に配置された貯蔵室と、この貯蔵室の前面開口を閉塞する引き出し扉と、その引き出し扉の動作と連動して出し入れされ上方が開放された収納容器と、前記引き出し扉を開いた時に点灯し収納容器内を照らす容器照明灯と、前記冷蔵室と貯蔵室とを上下に仕切る透明な材質で成形された仕切板とを備え、
前記容器照明灯は、前記冷蔵室の冷蔵室扉を開いた時に点灯することを特徴とする冷蔵庫。
【請求項２】
前記収納容器の背面部には、前記容器照明灯からの光を前方へ向けて反射させる反射部を設けたことを特徴とする請求項１記載の冷蔵庫。
【請求項３】
前記容器照明灯は、引き出し扉の引き出し動作に基づいて照射角度を可変する照射角度可変手段を備えていることを特徴とする請求項１記載の冷蔵庫。
【請求項４】
前記容器照明灯の明るさは、冷蔵室扉を閉じている時よりも冷蔵室扉を開けた時の方が暗くなることを特徴とする請求項１、２、３のいずれかに記載の冷蔵庫。
【請求項５】
前記容器照明灯の明るさは、引き出し扉を開けている時よりも、引き出し扉を閉じている時の方を暗くすることを特徴とする請求項１、２、３のいずれかに記載の冷蔵庫。
【請求項６】
前記容器照明灯は、前記収納容器の容器内を前方から後方へ向かって照らす第１の照明灯と容器内の後方から前方へ向かって照らす照射角度の異なる第２の照明灯とを備え、
少なくとも第１の照明灯は冷蔵室扉が開いた時に点灯し、第２の照明灯は引き出し扉を開いた時に点灯することを特徴とする請求項１記載の冷蔵庫。
【請求項７】
前記容器照明灯は、冷蔵室扉が開いた時に点灯し前記収納容器内を照らす第１の照明灯と、常時は所定の周期で容器内へ向けて紫外線を照射する紫外線照射灯とを備え、
前記紫外線照射灯は、冷蔵室扉又は引き出し扉のいずれか一方が開いた時に消灯させることを特徴とする請求項１記載の冷蔵庫。
【請求項８】
前記容器照明灯は、冷蔵室扉が開いた時に点灯し収納容器内を照らす第１の照明灯と所定の周期で容器内へ向けて紫外線を照射する紫外線照射灯とを備え、
前記紫外線照射灯は、少なくとも消灯中となる引き出し扉が引き出された開の状態から閉にされると点灯することを特徴とする請求項１記載の冷蔵庫。
【請求項９】
前記庫内照明灯は、引き出し扉を引き出した開の時に点灯となることを特徴とする請求項１記載の冷蔵庫。
【発明の詳細な説明】
【技術分野】
【０００１】
本発明は庫内前方に開閉式の冷蔵室扉と引き出し式の引き出し扉を備えたものに適する冷蔵庫に関する。
【背景技術】
【０００２】
一般に冷蔵庫の庫内を開け閉めする扉には開閉タイプと引き出しタイプがあり、各庫内は上下の関係に配置されたものが知られている。
【０００３】
開閉タイプの扉を備えた庫内としては、例えば、冷蔵室がある。引き出し扉を備えた庫内としては野菜室がある（特許文献１参照）。
【０００４】
冷蔵室と野菜室は上下の関係に配置され、冷蔵室は冷蔵室扉を開とすることで庫内に対して食品等の出し入れが可能となる。野菜室は引き出し扉を引き出すことで収納容器も一緒に引き出され収納容器に対して野菜等の出し入れが可能となっている。
【先行技術文献】
【特許文献】
【０００５】
【特許文献１】特開２００３−１６６７８１号公報
【発明の概要】
【発明が解決しようとする課題】
【０００６】
冷蔵室及び野菜室はそれぞれ独立した庫内に作られているため、食品、野菜等の出し入れや内部の確認は、各扉を開けることで行われる。この場合、冷蔵室の下位に野菜室が配置された冷蔵庫にあっては、冷蔵室を開けた時に下の野菜室が見えるように冷蔵室と野菜室とを仕切る仕切板を透明な材質で作る手段が公知となっている。
【０００７】
しかしながら、一般には収納容器内は暗く見え難いのが現状である。
【０００８】
そこで、本発明にあっては節電が図れると共に冷蔵室の扉を開けた時に冷蔵室内から下の庫内が見え易くした冷蔵庫を提供することを目的としている。
【課題を解決するための手段】
【０００９】
前記目的を達成するために本発明にあっては、冷蔵庫本体に設けられた冷蔵室と、この冷蔵室の前面開口を閉塞する冷蔵室扉と、この冷蔵室扉を開いた時に点灯し庫内を照らす庫内照明灯と、前記冷蔵室の下方に配置された貯蔵室と、この貯蔵室の前面開口を閉塞する引き出し扉と、その引き出し扉の動作と連動して出し入れされ上方が開放された収納容器と、前記引き出し扉を開いた時に点灯し収納容器内を照らす容器照明灯と、前記冷蔵室と貯蔵室とを上下に仕切る透明な材質で成形された仕切板とを備え、
前記容器照明灯は、前記冷蔵室の冷蔵室扉を開いた時に点灯することを特徴とする。
【００１０】
本発明を実施するにあたって、第１に前記収納容器の背面部には、前記容器照明灯からの光を前方へ向けて反射させる反射部を設けるようにすることで、容器照明灯からの直接の光に加えて、反射部からの反射光を組合せた明るさが得られるようにすることが望ましい。
【００１１】
第２に前記容器照明灯を照射角度可変手段により、引き出し扉の引き出し動作に基づいて照射角度を可変させることで、収納容器の引き出し量に左右されることなく、収納容器内の一定の明るさが得られるようにすることが望ましい。
【００１２】
第３に前記容器照明灯の明るさを、冷蔵室扉を閉じている時よりも冷蔵室扉を開けている時の方が暗くなるようにすることで、暗くなっても冷蔵室からの庫内照明灯の明るさがプラスされる組み合せ照明によって省エネを図った明るさが得られるようにすることが望ましい。
【００１３】
第４に前記容器照明灯の明るさを、引き出し扉を開けている時よりも、引き出し扉を閉じている時の方を暗くすることで、暗くなっても冷蔵室からの庫内照明灯の明るさがプラスされる組み合せ照明によって省エネを図った明るさが得られるようにすることが望ましい。
【００１４】
第５に前記容器照明灯を、前記収納容器の容器内を前方から後方へ向かって照らす第１の照明灯と容器内の後方から前方へ向かって照らす照射角度の異なる第２の照明灯とを備え、
少なくとも第１の照明灯を冷蔵室扉が開いた時に点灯させる一方、第２の照明灯を引き出し扉を開いた時に点灯させることで、引き出し扉の全閉時から全開時まで最良の明るさが確保される収納容器照明が得られるようにすることが望ましい。
【００１５】
第６に前記容器照明灯を、冷蔵室扉が開いた時に点灯し前記収納容器内を照らす第１の照明灯と、常時は所定の周期で容器内へ向けて紫外線を照射する紫外線照射灯とを備え、
前記紫外線照射灯を、冷蔵室扉又は引き出し扉のいずれか一方が開いた時に消灯させることで、人体に有害となる紫外線が開とした扉から外へ漏れ出るのを確実に阻止できるようにすることが望ましい。
【００１６】
第７に前記容器照明灯を、冷蔵室扉が開いた時に点灯し収納容器内を照らす第１の照明灯と所定の周期で容器内へ向けて紫外線を照射する紫外線照射灯とを備え、
前記紫外線照射灯を、少なくとも消灯中となる引き出し扉が引き出された開の状態から閉にした時に点灯させることで、迅速な庫内の除菌作用の確保が得られるようにすることが望ましい。
【００１７】
第８に前記庫内照明灯を、引き出し扉を引き出した開の時に点灯となるようにすることで、容器照明灯の明るさに加えて庫内照明灯の明るさが一緒に得られるようにすることが望ましい。
【発明の効果】
【００１８】
本発明によれば、冷蔵室扉を開けた時に点灯となる容器照明灯によって明るさが確保されるため冷蔵室下の収納容器内を確実に見ることができる。したがって、収納容器内の確認にあたって引き出し扉を開けなくて済むと共に容器照明灯は冷蔵室扉及び引き出し扉が閉まっている時は消灯の状態にあるため無駄なエネルギーを消費することもなく効率のよい照明が得られる。
【図面の簡単な説明】
【００１９】
【図１】本発明にかかる庫内照明灯と容器照明灯とを備えた冷蔵庫の一部分を切断して示した概要側面図。
【図２】引き出し扉を引き出した状態の図１と同様の概要側面図。
【図３】容器照明灯の照射角度可変手段を備えた冷蔵庫の一部切断概要側面図。
【図４】照射角度可変手段の一例を示した概要説明図。
【図５】貯蔵室内に第１と第２の照明灯を設けた冷蔵庫の一部切断概要側面図。
【図６】引き出し扉を引き出した状態の図５と同様の一部切断概要側面図。
【図７】貯蔵室内の第１の照明灯と紫外線照射灯とを設けた冷蔵庫の一部切断概要側面図。
【図８】引き出し扉を引き出した状態の図７と同様の一部切断概要側面図。
【発明を実施するための形態】
【００２０】
以下、図１乃至図４の図面を参照しながら本発明の第１の実施形態について具体的に説明する。
【００２１】
図１は本発明にかかる冷蔵庫の一部切断概要側面図を示している。冷蔵庫本体１は上方から冷蔵室３、貯蔵室となる野菜室５、冷凍室（図示していない）の順に配置されている。
【００２２】
冷蔵室３と野菜室５は、透明な材質で成形された仕切板７によって上下に仕切られ、透明な仕切板７を介して冷蔵室３から下の野菜室５内が見えるようになっている。
【００２３】
冷蔵室３の前面開口は開閉式の冷蔵室扉９となっている。冷蔵室３の庫内天井面には庫内照明灯１１が設けられ、常時は消灯の状態にあって前記冷蔵室扉９を開とした時と後述する引き出し扉１３を引き出した開の時に点灯する。
【００２４】
野菜室５の前面開口は引き出し式の引き出し扉１３となっている。引き出し扉１３には上方が開放された収納容器１５が設けられ、収納容器１５は引き出し扉１３と一緒に開閉し、庫内から一杯に引き出された開の状態（図２）と庫内に収まる閉の状態（図１）がそれぞれ得られる一方、収納容器１５の背面部は後述する容器照明灯１７からの光を前方へ向けて反射させる反射部１９となっている。
【００２５】
反射部１９は鏡のような反射率の高い反射材を新たに設ける手段であってもよく、新たに設けなくても白色や透明な樹脂で収納容器１５の背面を利用する手段であってもよい。
【００２６】
収納容器１５の上方で前端（前方開口）側には、収納容器１５内を照らす前記した容器照明灯１７が設けられている。
【００２７】
容器照明灯１７は、前記引き出し扉１３を引き出した開の時と、前記冷蔵室扉９を開けた開の時に庫内照明灯１１と一緒に点灯可能となる。容器照明灯１７及び庫内照明灯１１並びに各扉９、１３の開閉条件に基づく点灯、消灯の関係を表−１に示す。
【表１】
2010230206.tif 000003
【００２８】
庫内照明灯１１は、冷蔵室扉９と引き出し扉１３が開の時にのみ点灯し、あとは消灯となる。容器照明灯１７は、冷蔵室扉９と引き出し扉１３が開の時のみ点灯し、後は消灯となる。
【００２９】
容器照明灯１７の明るさは、条件があって冷蔵室扉９を閉じている時よりも冷蔵室扉９を開けた時の方が庫内照明灯１１に対して容器照明灯１７の方が暗くなるよう設定されている。
【００３０】
もう一つは引き出し扉１３を開けている時よりも引き出し扉１３を閉じている方が庫内照明灯１１に対して容器照明灯１７の方が暗くなるように設定されている。これは、冷蔵室扉９を開けて冷蔵室３側から収納容器１５内を見た時に庫内照明灯１１の明るさを利用する組み合せ照明が可能であるためで容器照明灯１７が暗くても支障が起きない省エネが図られた照明手段となっている。
【００３１】
一方、容器照明灯１７は照射角度可変手段２１によって引き出し扉１３の引き出し動作に基づいて照射角度が可変となることが望ましい。
【００３２】
具体的には図３，図４に示す如く収納容器１５の一方の側壁に設けられたラック２３とそのラック２３と噛み合う庫内側に設けられたピニオンギヤ２５とピニオンギヤ２５と噛み合う減速ギヤ２７を介して噛み合うシャフトギヤ２９とからなり、シャフトギヤ２９のギヤ軸２９ａに設けられた容器照明灯１７はギヤ軸２９ａの回動に対応して照射角度の可変状態が得られる構造となっている。
【００３３】
これにより、引き出し扉１３の引き出し動作に対応して照射角度が可変となることで、全閉時から全開時にわたって最適な収納容器１５内の明るさが確保される。
【００３４】
したがって、本実施形態によれば、全閉時から全開時にわたって最適な収納容器１５内の明るさが得られる。一方、冷蔵室扉９を開けた時は容器照明灯１７が点灯し冷蔵室３下の収納容器１５内がよく見えるようになる。このため、引き出し扉１３を開けなくて冷蔵室３と一緒に収納容器１５内の確認が行なえる。
【００３５】
図５と図６は容器照明灯１７の別の実施形態を示したもので、容器照明灯１７を照射角度の異なる第１と第２の照明灯１７ａ，１７ｂにより構成するものである。
【００３６】
第１の照明灯１７ａは、容器内を前方から後方へ向かって照らすようになる。第２の照明灯１７ｂは容器内を後方から前方へ向かって照らすもので、照射角度が異なるよう設定されている。
【００３７】
第１、第２の照明灯１７ａ，１７ｂ及び庫内照明灯１１並びに各扉９，１３の開閉条件に基づく点灯、消灯の関係を表−２に示す。
【表２】
2010230206.tif 000004
【００３８】
庫内照明灯１１は、冷蔵室扉９と引き出し扉１３が開の時のみ点灯し、あとは消灯となる。第１の照明灯１７ａは冷蔵室扉９が開の時点灯し、あとは消灯となる。第２の照明灯１７ｂは引き出し扉１３が開の時点灯し、あとは消灯となる。
【００３９】
したがって、引き出し扉１３が閉の時に冷蔵室扉９を開けると第１の照明灯１７ａが点灯し、冷蔵室３内から収納容器１５内を見ることができる。この時、庫内照明灯１１からの明るさもプラスされるため良く見えるようになる。
【００４０】
次に、図６に示すように冷蔵室扉９が閉の時に引き出し扉１３を引き出した開にすると第２の照明灯１７ｂが点灯し、引き出された状態にある収納容器１５内を確実に見ることができる。
【００４１】
図７と図８は容器照明灯１７を第１の照明灯３３と紫外線照射灯３５により構成した実施形態を示したものである。
【００４２】
第１の照明灯３３は、収納容器１５内を照らすようになっている。紫外線照射灯３５は収納容器１５内へ紫外線を照射することで紫外線による除菌作用が得られるようになっている。
【００４３】
第１の照明灯３３と紫外線照射灯３５及び庫内照明灯１１並びに各扉９，１３の開閉条件に基づく点灯、消灯の関係を表−３に示す。
【表３】
2010230206.tif 000005
【００４４】
庫内照明灯１１は、冷蔵室扉９と引き出し扉１３が開の時のみ点灯し、あとは消灯となる。第１の照明灯３３は冷蔵室扉９及び引き出し扉１３が開の時点灯し、あとは消灯となる。紫外線照射灯３５は冷蔵室扉９及び引き出し扉１３が一緒に閉の時のみ点灯し、いずれか一方でも開になると消灯となる。
【００４５】
消灯とする理由は、人体に影響を与えるほどの紫外線を照射することは無いが、より安全性を高めるためである。
【００４６】
したがって、冷蔵室扉９を開けると庫内照明灯１１と第１の照明灯３３が点灯し冷蔵室３から下の収納容器１５内を見ることができる。
【００４７】
次に、冷蔵室扉９が閉の時に引き出し扉１３を引き出した開にすると第１の照明灯３３及び庫内照明灯１１が点灯し、引き出された状態にある収納容器１５内を確実に見ることができる。
【００４８】
一方、収納容器１５を開の状態から閉にすると、閉と同時に紫外線照射灯３５が点灯し、迅速に除菌作用の運転に入る。
【００４９】
また、いずれか一方の扉９，１３が開となると紫外線照射灯３５は消灯し、人体に悪影響を与えることがなくなる。
【符号の説明】
【００５０】
１    冷蔵庫本体
３    冷蔵室
５    貯蔵室
７    仕切板
９    冷蔵室扉
１１    庫内照明灯
１３    引き出し扉
１５    収納容器
１７    容器照明灯
１７ａ，３３    第１の照明灯
１７ｂ    第２の照明灯
１９    反射部
２１    照射角度可変手段
３５    紫外線照射灯
【図１】
2010230206.tif 000006
【図２】
2010230206.tif 000007
【図３】
2010230206.tif 000008
【図４】
2010230206.tif 000009
【図５】
2010230206.tif 000010
【図６】
2010230206.tif 000011
【図７】
2010230206.tif 000012
【図８】
2010230206.tif 000013